(57)【要約】【課題】  折り畳んだときに全体をコンパクトにするとともに、広げたときに開口部を確実に閉塞する。【解決手段】  底板２と、底板２の周縁部にヒンジ２３を介して回動自在に連結されるとともに、底板２に対して折り畳み自在な４つの側板と、４つの側板のうちの対向する２つの側板１７、１８の先端にそれぞれダブルヒンジ３５を介して回動自在に連結されるとともに、この側板１７、１８に対して折り畳み自在な２つの蓋板２７、３３とを備える。ダブルヒンジ３５は、側板１７、１８側に位置する回動中心と蓋板２７、３３側に位置する回動中心の２つの回動中心を有し、両回動中心は互いに離間している。【選択図】        図１２
2005104546.tif 000002
【特許請求の範囲】
【請求項１】
底板と、該底板に対してヒンジを介して折り畳み可能とされたそれぞれ対向する一対の第一側板及び一対の第二側板と、対向する一対の第一側板の各他端側にそれぞれ設けられていて当該第一側板に対して開閉可能な一対の蓋板と、前記一対の第一側板と蓋板をそれぞれ連結するダブルヒンジとを備えた折り畳み可能なコンテナであって、
前記各ダブルヒンジは、前記第一側板に回動可能に連結された第一ヒンジ部と前記蓋板に回動可能に連結された第二ヒンジ部とを連結していると共に、前記第一側板に係合可能な係止部材を設けてなり、
前記一対の蓋板を閉じた状態で、前記各ダブルヒンジは第一ヒンジ部及び第二ヒンジ部がそれぞれ前記一対の蓋板と略平行な状態に延びて前記係止部材によってそれぞれ第一側板に係止されるようにしたことを特徴とするコンテナ。
【請求項２】
前記係止部材は、基板と、該基板に連結された凹陥部形状の係止ブロックとを備え、前記基板と係止ブロックの一部が前記第一側板の角部に係止することで前記ダブルヒンジの第一ヒンジ部及び第二ヒンジ部を前記蓋板と略平行な状態に支持するようにした請求項１に記載のコンテナ。
【請求項３】
前記第一側板と蓋板をダブルヒンジで折り曲げて互いに重ねて底板上に畳んだ状態で、前記一対のダブルヒンジはそれぞれ前記第一側板と蓋板に略直交した状態で互いに干渉しない位置に対向している請求項１または２に記載のコンテナ。
【請求項４】
前記第一側板の上部には該第一側板の延長上に延びる突部が設けられ、起立した一対の前記第一側板の突部間に他のコンテナの底板を収容することで積層できるようにした請求項１乃至３のいずれかに記載のコンテナ。
【請求項５】
前記第一側板の上部には該第一側板の延長上に延びる突部が設けられ、前記ダブルヒンジを介して蓋板を第一側板の外側に重ねた折り曲げ状態で、前記突部で係止部材が係止されて前記ダブルヒンジが第一側板の上部に密着するようにした請求項１乃至３のいずれかに記載のコンテナ。
【発明の詳細な説明】
【技術分野】
【０００１】
本発明は、コンテナに関し、折り畳み、組立て自在なコンテナに関するものである。
【背景技術】
【０００２】
この種のコンテナの一例として、底板と、底板の対向する二辺に立設される一対の側板と、両側板の上部両隅部間をそれぞれ連結する２本の軸部材と、軸部材にそれぞれ回動可能に取り付けられる一対の蓋板とを備えたものが知られている。
【０００３】
このような構成のコンテナにあっては、両蓋板は、ダブルヒンジを介して両側板に取り付けられ、コンテナの開口部を塞ぐ位置とコンテナの開口部を開く位置との間を２７０度回動するように構成され、閉じたときには両蓋板が飲料用缶の上端に当接することによりそれ以上の回動が阻止され、開いたときには両蓋板の先端が底板の突辺に係止されるように構成されている。
【０００４】
しかし、上記のような構成のコンテナにあっては、両蓋の閉じる方向への回動を内容物である飲料用缶によって規制しているため、内容物が軟質のものの場合には使用することができない。また、両蓋を開いた場合に、両蓋板が外方に突出してしまうため、ネスティングの際に嵩張ってしまう（例えば、特許文献１参照。）。
【特許文献１】特開平１１−２６３３３９号公報
【発明の開示】
【発明が解決しようとする課題】
【０００５】
本発明は、上記のような従来の問題に鑑みなされたものであって、内容物が軟質のものであっても蓋を閉じた状態に保持して内容物を保護できるとともに、コンパクトに折り畳むことができてネスティングの際の嵩張りを少なくしたコンテナを提供することを目的とするものである。
【課題を解決するための手段】
【０００６】
本発明は、上記のような課題を解決するために、以下のような手段を採用している。
すなわち、本発明のコンテナは、底板と、底板に対してヒンジを介して折り畳み可能とされたそれぞれ対向する一対の第一側板及び一対の第二側板と、対向する一対の第一側板の各他端側にそれぞれ設けられていて当該第一側板に対して開閉可能な一対の蓋板と、一対の第一側板と蓋板をそれぞれ連結するダブルヒンジとを備えた折り畳み可能なコンテナであって、各ダブルヒンジは、第一側板に回動可能に連結された第一ヒンジ部と蓋板に回動可能に連結された第二ヒンジ部とを連結していると共に、第一側板に係合可能な係止部材を連結してなり、一対の蓋板を閉じた状態で、各ダブルヒンジの第一ヒンジ部及び第二ヒンジ部はそれぞれ一対の蓋板と略平行な状態に延びて係止部材によってそれぞれ第一側板に係止されるようにしたことを特徴とする。
本発明のコンテナによれば、第一及び第二側板を起立させた状態からダブルヒンジで蓋体を閉じ方向に回動すれば、一対のダブルヒンジが蓋体と略平行な方向、例えば第一側板に略垂直な方向に延びて蓋体と共に覆うために、一対の蓋体が互いに当接してコンテナの開口を閉鎖でき、その際にダブルヒンジと一体に回動する係止部材が第一側板に係止することでダブルヒンジと蓋体を支えることができる。一方、折り畳み時に、蓋体と第一側板を第一及び第二ヒンジ部でそれぞれ折り曲げて底板に重ねると、ダブルヒンジは底板に略平行に重ねられた第一側板と蓋体に対して例えば略直交するように屈曲して保持されるから、蓋体の開閉幅がコンテナの開口幅より小さくなり、互いに干渉することなく畳むことができる。
【発明の効果】
【０００７】
本発明のコンテナによれば、コンテナを組み立てた状態では、ダブルヒンジが蓋体と共に蓋の一部を構成するように延びるために開口を閉鎖でき、折り畳んだ状態ではダブルヒンジが蓋体に屈曲して折り畳まれるから一対のダブルヒンジや蓋体が互いに干渉することなく重ねてコンパクトに畳むことができて、畳んだ状態でネスティングする際に嵩張るのを防止できる。しかも、コンテナ組み立て状態でダブルヒンジと蓋体を略平行に延ばした状態で係止部材で支えるために内容物が押圧されたり干渉することもない。
【発明を実施するための最良の形態】
【０００８】
係止部材は、基板と、該基板に連結された凹陥部形状の係止ブロックとを備え、基板と係止ブロックの一部が第一側板の角部に係止することでダブルヒンジの第一ヒンジ部及び第二ヒンジ部を蓋板と略平行な状態に支持するようにしてもよい。
コンテナを組み立てた状態で、係止部材の基板と係止ブロックとでダブルヒンジを蓋板と共に略平行な状態に支えることができる。
また、第一側板と蓋板をダブルヒンジで折り曲げて互いに重ねて底板上に畳んだ状態で、一対のダブルヒンジはそれぞれ第一側板と蓋板に略直交した状態で互いに干渉しない位置に対向していてもよい。通常、コンテナの開口を塞ぐには一対の蓋体は少なくとも底板の幅以上の長さが必要であるが、本発明では蓋体とダブルヒンジを折り曲げて畳むために蓋体が底板から外側に突出したり互いに干渉するのを押さえてコンパクトに畳むことができる。
第一側板の上部には該第一側板の延長上に延びる突部が設けられ、起立した一対の第一側板の突部間に他のコンテナの底板を収容することで複数のコンテナを積層できるようにしてもよく、コンテナを組み立てた状態でネスティングすることができる。
また、第一側板の上部には該第一側板の延長上に延びる突部が設けられ、ダブルヒンジを介して蓋板を第一側板の外側に重ねた折り曲げ状態で、突部で係止部材が係止されてダブルヒンジが第一側板の上部に密着するようにしてもよい。コンテナの蓋体のみを畳んだ状態や第一側板も畳んだ状態で、突部によって係止部材が係止され、ダブルヒンジを第一側板の上部に密着した状態で畳むこともできる。
【実施例】
【０００９】
以下、図面に示す本発明の実施例について説明する。
図１〜図１６には、本発明によるコンテナの一実施例が示されていて、このコンテナ１は、図１〜図４に示すように、平面視矩形の底板２と、底板２の周縁部に回動自在に設けられる二対の側板１５、１６（第二側板）、側板１７、１８（第一側板）と、対向する２枚の側板１７、１８の上端に回動自在に設けられる２枚の蓋板２７、３３とを備えている。
【００１０】
底板２は、図１〜図１２に示すように、矩形板状の底部３と、底部３の周縁部に垂直に立設される角環状の側壁部４、５、６、７と、底部３の下面側に設けられる複数の板状のリブ１３とから構成され、底部３と側壁部４、５、６、７とによって囲まれる部分に上方が開口する空所１４が形成されている。
【００１１】
角環状の側壁部４、５、６、７は、図１〜図４に示すように、底板２の前縁部に設けられる前側壁部４と、後縁部に設けられる後側壁部５と、左縁部に設けられる左側壁部６と、右縁部に設けられる右側壁部７とから構成されている。
【００１２】
前側壁部４、後側壁部５、左側壁部６及び右側壁部７は、図５〜図１２に示すように、それぞれ底板２の周縁部に一体に設けられる内壁８と、内壁８の外側に所定の間隔をおいて設けられる外壁９と、内壁８の上端と外壁９の上端との間に設けられる上壁１０と、内壁８と外壁９と上壁１０とによって囲まれる部分に所定の間隔ごとに一体に設けられる複数のリブ１１とから構成されている。
【００１３】
各外壁９及び各リブ１１の下端は、各内壁８の下端よりも上方に位置するように、各外壁９、各リブ１１の長さが設定されている。各外壁９の上端には、所定の間隔ごとに上方に突出する突起１２がそれぞれ一体に設けられ、各突起１２の内面側には後述するシングルヒンジ２３の構成部品の一つであるフック状の係合爪２４がそれぞれ一体に設けられている。
【００１４】
４枚の側板１５、１６、１７、１８は、図１〜図１２に示すように、前側壁部４に対応する部分に設けられる前側板１５と、後側壁部５に対応する部分に設けられる後側板１６と、左側壁６部に対応する部分に設けられる左側板１７と、右側壁部７に対応する部分に設けられる右側板１８とからなり、各側板１５、１６、１７、１８はシングルヒンジを２３を介して各側壁部４、５、６、７にそれぞれ回動自在に連結されている。
【００１５】
前側板１５は、矩形板状をなすものであって、底板２の前側壁部４の上端にシングルヒンジ２３を介して回動自在に連結されている。前側板１５は、図２及び図４に示すように、底板２の底部３に平行な位置と底板２の底部３に垂直な位置との間を回動自在となっており、折り畳んだとき（閉じたときに）には、底板２の空所１４内に底部３に対して平行となった状態で収納され、広げたとき（起立したとき）には、底板２の前側壁部４の上端に垂直に立設される。前側板１５は後述する左側板１７及び右側板１８よりも高さが一段低く構成されている。
【００１６】
シングルヒンジ２３は、後述する左側板１７及び右側板１８のシングルヒンジ２３と同様の構成を有しているので、図５〜図１２、及び図１６に示す左側板１７及び右側板１８のシングルヒンジ２３により説明する。すなわち、シングルヒンジ２３は、底板２の前側壁部４の各突起１２の内面側にそれぞれ一体に設けられるフック状の係合爪２４と、各係合爪２４に対応する前側板１５の下端部に一体に設けられる係合ピン２５とからなり、各係合ピン２５を係合爪２４に係合させることにより、前側板１５が前側壁部４の上端に回動自在に連結される。
【００１７】
後側板１６は、前側板１５と同様の構成を有しているので、同一の部分に同一番号を付してその詳細な説明は省略するものとする。また、後側板１６を後側壁５に回動自在に連結するシングルヒンジ２３も前側板１５のシングルヒンジ２３と同様の構成を有しているので、その詳細な説明は省略するものとする。さらに、後側板１６も前側板１５と同様に、図２及び図４に示すように、底板２の底部３に平行な位置と底板２の底部３に垂直な位置との間を回動自在となっており、折り畳んだとき（閉じたときに）には、底板２の空所１４内に底部３に対して平行となった状態で収納され、広げたとき（起立したとき）には、底板２の後側壁部５の上端に垂直に立設される。
【００１８】
左側板１７は、図１〜図１２に示すように、矩形板状をなすものであって、底板２の左側壁部６の上端にシングルヒンジ２３を介して回動自在に連結されている。左側板１７は、前側板１５及び後側板１６と同様に、底板２の底部３に平行な位置と底板２の底部３に垂直な位置との間を回動自在に構成され、折り畳んだとき（閉じたとき）には、底板２の空所１４内に底部３に平行な状態となって収納され、広げたとき（起立したとき）には、底板２の左側壁部６の上端に垂直に立設される。左側板１７は、前述した前側板１５及び後側板１６よりも高さが一段高く構成されている。
【００１９】
左側板１７は、矩形板状の側板本体１９と、側板本体１９の外面側に長手方向に沿って所定の間隔ごとに一体に設けられる複数の板状の縦リブ２０と、側板本体１９の外面側の上端部に全長に渡って一体に設けられる２つの板状の横リブ２１、２１とから構成されている。
【００２０】
シングルヒンジ２３は、図１６に示すように、底板２の左側壁部６の各突起１２の内面側にそれぞれ一体に設けられるフック状の係合爪２４と、各係合爪２４に対応する左側板１７の下端部に一体に設けられる係合ピン２５とからなり、各係合ピン２５を係合爪２４に係合させることにより、左側板１７が左側壁部６の上端に回動自在に連結される。
左側板１７の上側の横リブ２１の上面側の中央部には、図１、図５〜図１２に示すように、長手方向に沿って所定の間隔ごとに門形状の突起２２が一体に設けられ、左側板１７を折り畳んで底板２の空所１４内に収納したときに、図１２及び図１５に示すように、この突起２２の上端（先端）と後述する右側板１８の突起２２の上端（先端）との間に所定の間隙が形成されるように構成されている。
【００２１】
右側板１８は、左側板１７と同様の構成を有しているので、同一の部分に同一の番号を付してその詳細な説明は省略するものとする。また、右側板１８を右側壁部７に回動自在に連結するシングルヒンジ２３も左側板１７のシングルヒンジ２３と同様の構成を有しているので、同一の部分に同一の番号を付してその詳細な説明は省略するものとする。さらに、右側板１８も左側板１７と同様に、底板２の底部３に平行な位置と底板２の底部３に垂直な位置との間を回動自在に構成され、折り畳んだとき（閉じたとき）には、底板２の空所１４内に底部３に平行な状態となって収納され、広げたとき（起立したとき）には、底板２の右側壁部７の上端に垂直に立設される。
【００２２】
右側板１８の上側の横リブ２１の上面側の中央部には、左側板１７と同様に、長手方向に沿って所定の間隔ごとに門形状の突起２２が一体に設けられ、右側板１８を折り畳んで底板２の空所１４内に収納したときに、この突起２２の上端（先端）と左側板１７の突起２２の上端（先端）との間に所定の間隙が形成されるように構成されている。
【００２３】
前側板１５、後側板１６、左側板及１７び右側板１８を広げて（開いて）、それらを底板２の周縁部に垂直に立設した場合に、それらの内側には底板２の空所１４に連通する上部が開口する空所２６が形成され、この空所２６の開口部は後述する２枚の蓋板（左蓋板２７及び右蓋板３３）によって開閉される。
【００２４】
左蓋板２７は、図１〜図４に示すように、矩形板状をなすものであって、空所２６の開口部の左半部を塞ぐ大きさに形成されている。左蓋板２７は、後述するダブルヒンジ３５を介して左側板１７の上端に回動自在に連結されている。左蓋板２７の一端には、長手方向に沿って凸部２８、凹部２９が交互に設けられている。各凹部２９の根元部にはそれぞれ一段低い段部３０が設けられ、各段部３０には長手方向を向く係合孔３１が貫通した状態でそれぞれ設けられ、この係合孔３１内に後述する右蓋板３３の係合突起３２が係合されるように構成されている。各凸部２８の先端部内面側には、長手方向を向く係合突起３２がそれぞれ一体に設けられ、この係合突起３２は後述する右蓋板３３の係合孔３１内に係合されるように構成されている。
【００２５】
次にダブルヒンジ３５について、図１、図１３乃至図１５に基づいて説明する。
左側板１７と左蓋板２７との間に帯板状の基板３６が設けられている。基板３６にはその幅方向両端に一対の係合孔４１，４２を形成した支持板４０が設けられている。支持板４０は基板３６の長手方向に所定間隔で配設されている。各支持板４０の一方の係合孔４１には左側板１７の上端の部分に設けられた係合ピン４４が回転可能に嵌合して第一ヒンジ部を構成し、他方の係合孔４２には左蓋板２７の他端の部分に設けられた係合ピン４５が回転可能に嵌合して第二ヒンジ部を構成している。
そして基板３６の長手方向において、隣り合う二つの支持板４０の間には、図１に示すように縦断面視略コの字型の凹陥部が形成されて係止ブロック３９を構成する。この係止ブロック３９の一方の側壁は帯板状の係止板３７とされ、図１３に示すように左蓋体２７でコンテナの空所２６の半面を閉じる際に基板３６と係止ブロック３９の係止板３７とで左側板１７の上部の角部に当接することで、ダブルヒンジ３５と左蓋板２７を支える。
また、係止ブロック３９によって基板３６の一部は四角形状の逃げ孔３８を形成する（図１参照）。基板３６、係止ブロック３９及び逃げ孔３８、支持板４０はヒンジ本体４３を構成し、ヒンジ本体４３と、各支持板４０の係合孔４１，４２に嵌合する係合ピン４４、４５とでダブルヒンジ３５を構成する。
【００２６】
そして、左側板１７の各係合ピン４４をヒンジ本体４３の各支持板４０の一方の係合孔４１に係合させることにより、ダブルヒンジ３５が左側板１７の上端に回動自在に連結され、ヒンジ本体４３の各支持板４０の他方の係合孔４２に左蓋板２７の各係合ピン４５を係合させることにより、左蓋板２７がダブルヒンジ３５に回動自在に連結される。
【００２７】
ダブルヒンジ３５は、図５〜図１０に示すように、左側板１７を広げて（起立して）底板２の左側壁部６の上端に垂直に立設した状態で、一方の係合ピン４４を中心として時計方向に回転して、左側板１７の上端部内面側に底板２の底部３に平行となって位置する位置と、その位置から反時計方向に１８０度回転して、左側板１７の上端に底板２の底部３と平行となって位置する位置との間を回動可能となっている。
【００２８】
この場合、図５、図６及び図１３に示すように、ヒンジ本体４３の係止板３７が左側板１７の内面に当接することにより、ダブルヒンジ３５の時計方向へのそれ以上の回動が阻止され、図１０及び図１４に示すように、ヒンジ本体４３の各係止ブロック３９の内面が左側板１７の上端の突起２２に当接することにより、ダブルヒンジ３５の反時計方向へのそれ以上の回動が阻止される。
【００２９】
左蓋板２７は、図５及び図７に示すように、ダブルヒンジ３５の他方の係合ピン４５を中心として、ヒンジ本体４３と平行となる位置と、その位置から反時計方向に９０度回転して、ヒンジ本体４３と直角となる位置との間を回動可能となっている。
【００３０】
この場合、図１に示すように、左蓋板２７の内面側が前側板１５及び後側板１６の上端に当接することにより、左蓋板２７の時計方向へのそれ以上の回動が阻止され、図２に示すように、左蓋板２７の外面側が左側板１７の外面側に当接することにより、左蓋板２７の反時計方向へのそれ以上の回動が阻止される。
【００３１】
左側板１７を広げた（起立した）状態で、図１及び図５に示すように、ダブルヒンジ３５を一方の係合ピン４４を中心として時計方向に回動させて、ヒンジ本体４３の係止板３７を左側板１７の内面に当接させ、この状態でダブルヒンジ３５の他方の係合ピン４５を中心として左蓋板２７を時計方向に回動させて、左蓋板２７の内面を前側板１５及び後側板１６の上端に当接させることにより、空所２６の開口部の左半部が閉塞される。
【００３２】
右蓋板３３は、左蓋板２７と同様の構成を有しているので、同一の部分に同一の番号を付してその詳細な説明は省略するものとし、異なる部分についてのみ説明するものとする。また、右蓋板３３を右側板１８の上端に回動自在に連結するダブルヒンジ３５も左蓋板２７のダブルヒンジ３５と同様の構成を有しているので、同一の部分に同一の番号を付してその詳細な説明は省略するものとする。
【００３３】
右蓋板３３は、図１〜図４に示すように、空所２６の右半部を塞ぐ大きさに形成されている。右蓋板３３の一端には、長手方向に沿って凹部２９、凸部２８が交互に設けられている。各凹部２９の根元部には、左蓋板２７と同様に、それぞれ一段低い段部３０が設けられ、各段部３０には長手方向を向く係合孔３１が貫通した状態でそれぞれ設けられ、この係合孔１３内に右蓋板３３の係合突起３２が係合可能に構成されている。各凸部２８の先端部内面側には、長手方向を向く係合突起３２がそれぞれ一体に設けられ、この係合突起３２は左蓋板２７の係合孔３１内に係合可能に構成されている。
【００３４】
ダブルヒンジ３５は、図５〜図１０に示すように、右側板１８を広げて（起立して）底板２の右側壁部７の上端に垂直に立設した状態で、一方の係合ピン４４を中心として反時計方向に回転して、右側板１８の上端部内面側に底板２の底部３に平行となって位置する位置と、その位置から時計方向に１８０度回転して、右側板１８の上端に底板２の底部３と平行となって位置する位置との間を回動可能となっている。
【００３５】
この場合、図５、図６及び図１３に示すように、ヒンジ本体４３の係止板３７が右側板１８の内面に当接することにより、ダブルヒンジ３５の反時計方向へのそれ以上の回動が阻止され、ヒンジ本体４３の各係止ブロック３９の内面が右側板１８の上端の突起２２に当接することにより、ダブルヒンジ４３の時計方向へのそれ以上の回動が阻止される。
【００３６】
右蓋板３３は、図５及び図７に示すように、ダブルヒンジ３５の他方の係合ピン４５を中心として、ヒンジ本体４３と平行となる位置と、その位置から時計方向に９０度回転して、ヒンジ本体４３と直角となる位置との間を回動可能となっている。
【００３７】
この場合、図１に示すように、右蓋板３３の内面側が前側板１５及び後側板１６の上端に当接することにより、右蓋板３３の反時計方向へのそれ以上の回動が阻止され、図２に示すように、右蓋板３３の外面側が右側板１８の外面側に当接することにより、右蓋板３３の時計方向へのそれ以上の回動が阻止される。
【００３８】
右側板１８を広げた（起立した）状態で、図１及び図５に示すように、ダブルヒンジ３５を一方の係合ピン４４を中心として反時計方向に回動させて、ヒンジ本体４３の係止板３７右側板１８の内面に当接させ、この状態でダブルヒンジ３５の他方の係合ピン４５を中心として右蓋板３３を反時計方向に回動させて、右蓋板３３の内面を前側板１５及び後側板１６の上端に当接させることにより、空所２６の開口部の右半部が閉塞される。この場合、右蓋板３３の各係合突起３２が左蓋板２７の各係合孔３１内に係合され、右蓋板３３の各係合孔３１内に左蓋板２７の各係合突起３２が係合される。
【００３９】
上記のように構成したこの実施例によるコンテナ１にあっては、左側板１７の上端にダブルヒンジ３５を介して左蓋板２７を連結し、右側板１８の上端にダブルヒンジ３５を介して右蓋板３３を連結して、左側板１７とダブルヒンジ３５との回動中心とダブルヒンジ３５と左蓋２７との回動中心を離間させ、右側板１８とダブルヒンジ３５との回動中心とダブルヒンジ３５と右蓋板３３との回動中心を離間させたので、以下のような作用効果を奏する。
【００４０】
すなわち、左蓋板２７及び右蓋板３３によって側板１５、１６、１７、１８の内側の空所２６の開口部を閉塞する際には、各蓋板２７、３３側の回動中心が各側板１７、１８の内面よりも内方に位置することになるので、両蓋板２７、３３の先端間を隙間を生じさせることなく組み合わせることができ、空所２６の開口部を確実に閉塞することができる。また、左蓋板２７及び右蓋板３３を左側板１７及び右側板１８に対して折り畳む際には、各蓋板２７、３３側の回動中心が各側板１７、１８の内面よりも外方に位置することになるので、各蓋板２７、３３を折り畳んだ状態で各蓋板２７、３３を各側板１７、１８と一緒に折り畳む際に、両蓋板２７、３３の先端同士が接触するようなことはなく、両蓋板２７、３３を両側板１７、１８と一緒に底板２の空所１４内に確実に収納することができる。
【００４１】
次に、この実施例によるコンテナ１のネスティングについて説明する。
まず、各側板１５、１６、１７、１８及び各蓋板２７、３３を折り畳んだ状態のコンテナ１をネスティングするには、図１７に示すように、各側板１５、１６、１７、１８及び各蓋板２７、３３を折り畳んで底板２の空所１４内に収納したコンテナ１の上部に同様に構成したコンテナ１を積み重ね、上側のコンテナ１の底板２の側壁部４、５、６、７の内壁８の外面側を下側のコンテナ１の各蓋板２７、３３の係合突起３２、３２の内側に係合させる。そして、このような作業を順次繰り返すことにより、複数個のコンテナ１、１……を各側板１５、１６、１７、１８及び各蓋板２７、３３を折り畳んだ状態でネスティングすることができる。
【００４２】
次に、各側板１５、１６、１７、１８を広げて底板２の周縁部に立設し、左蓋板２７及び右蓋板３３を左側板１７及び右側板１８に対して折り畳んだ状態のコンテナ１をネスティングするには、図１８に示すように、各側板１５、１６、１７、１８を広げて底板２の周縁部に立設し、左蓋板２７及び右蓋板３３を左側板１７及び右側板１８に対して折り畳んだ状態のコンテナ１の上部に同様に構成したコンテナ１を積み重ね、下側のコンテナ１のダブルヒンジ３５の係止板３７の内側に上側のコンテナ１の底板２の側壁部４、５、６、７の内壁８の外面側を係合させる。そして、このような作業を繰り返すことにより、複数個のコンテナ１、１……を各側板１５、１６、１７、１８を広げて底板２の周縁部に立設し、左蓋板２７及び右蓋板３３を左側板１７及び右側板１８に対して折り畳んだ状態でネスティングすることができる。
【００４３】
次に、各側板１５、１６、１７、１８を広げて底板２の周縁部に立設し、左蓋板２７及び右蓋板３３を閉じて側板１５、１６、１７、１８の内側の開口部を閉塞した状態のコンテナ１をネスティングするには、図１９に示すように、各側板１５、１６、１７、１８を広げて底板２の周縁部に立設し、左蓋板２７及び右蓋板３３を閉じて側板１５、１６、１７、１８の内側の開口部を閉塞した状態のコンテナ１の上部に同様に構成したコンテナ１を積み重ね、下側のコンテナ１の左側板１７の上端の突起２２及び右側板１８の上端の突起２２の内側に上側のコンテナ１の底板２の側壁部４、５、６、７の内壁８の外面側を係合させる。そして、このような作業を繰り返すことにより、複数個のコンテナ１、１……を各側板１５、１６、１７、１８を広げて底板２の周縁部に立設し、左蓋板２７及び右蓋板２８を閉じて側板１５、１６、１７、１８の内側の開口部を閉塞した状態でネスティングすることができる。
【図面の簡単な説明】
【００４４】
【図１】本発明によるコンテナの一実施例の全体を示した斜視図であって、各側板を広げた状態で各側板の開口部を左蓋板及び右蓋板で閉塞した状態を示した説明図である。
【図２】図１の状態から左蓋板及び右蓋板を開いて、左側板及び右側板の外面側に位置させた状態を示した斜視図である。
【図３】図２の状態から左蓋板及び右蓋板を閉じる方向に戻し、左側板及び右側板に対して直角の位置に位置決めした状態を示した斜視図である。
【図４】各側板及び両蓋板を折り畳んだ状態を示した斜視図である。
【図５】本発明によるコンテナの一実施例の断面図であって、左蓋板及び右蓋板を閉じた状態を示した断面図である。
【図６】図５の状態から左蓋板及び右蓋板を開く方向に約４５度の位置まで回動させた状態を示した断面図である。
【図７】左蓋板及び右蓋板を開く方向に約１３５度の位置まで回動させた状態を示した断面図である。
【図８】左蓋板及び右蓋板を開く方向に約１８０度の位置まで回動させた状態を示した断面図である。
【図９】左蓋板及び右蓋板を開く方向に約２２５度の位置まで回動させた状態を示した断面図である。
【図１０】左蓋板及び右蓋板を開く方向に２７０度の位置まで回動させた状態を示した断面図である。
【図１１】図１０の状態から左側板及び右側板を閉じる方向に回動させた状態を示した断面図である。
【図１２】図１０の状態から左側板及び右側板を完全に折り畳んだ状態を示した断面図である。
【図１３】図５のＡ部の拡大図である。
【図１４】図１０のＢ部の拡大図である。
【図１５】図１２のＣ部の拡大図である。
【図１６】図５のＤ部の拡大図である。
【図１７】各側板及び蓋板を折り畳んだ状態のコンテナのネスティングを示した説明図である。
【図１８】各側板を立設し、左右蓋板を左右側板の外側に折り畳んだ状態のコンテナのネスティングを示した説明図である。
【図１９】各側板を立設し、左右蓋板を閉じた状態のコンテナのネスティングを示した説明図である。
【符号の説明】
【００４５】
１  コンテナ
２  底板
１５  前側板
１６  後側板
１７  左側板
１８  右側板
２３  シングルヒンジ
２７  左蓋板
３３  右蓋板
３５  ダブルヒンジ
【図１】
2005104546.tif 000003
【図２】
2005104546.tif 000004
【図３】
2005104546.tif 000005
【図４】
2005104546.tif 000006
【図５】
2005104546.tif 000007
【図６】
2005104546.tif 000008
【図７】
2005104546.tif 000009
【図８】
2005104546.tif 000010
【図９】
2005104546.tif 000011
【図１０】
2005104546.tif 000012
【図１１】
2005104546.tif 000013
【図１２】
2005104546.tif 000014
【図１３】
2005104546.tif 000015
【図１４】
2005104546.tif 000016
【図１５】
2005104546.tif 000017
【図１６】
2005104546.tif 000018
【図１７】
2005104546.tif 000019
【図１８】
2005104546.tif 000020
【図１９】
2005104546.tif 000021